【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
ポリアミドナノファイバーを含むナノファイバー不織布製品であって、前記ナノファイバーの前記ポリアミドが、Ｎ６、Ｎ６６、Ｎ６Ｔ／６６、Ｎ６１２、Ｎ６／６６、Ｎ６Ｉ／６６、Ｎ６６／６Ｉ／６Ｔ、Ｎ１１、Ｎ１２、又はこれらの組み合わせの少なくとも一つを含み、ここで「Ｎ」はナイロンを意味する、前記ナノファイバーの前記ポリアミドは４〜３３０の相対粘度を有し、前記ナノファイバーは１００〜９５０ナノメートルの平均径を有する上記ナノファイバー不織布製品。
【請求項２】
前記製品の融点は２２５℃以上である、請求項１に記載のナノファイバー不織布製品。
【請求項３】
前記ナノファイバーの２０％以下は７００ナノメートルより大きい直径を有する、請求項１に記載のナノファイバー不織布製品。
【請求項４】
前記ナノファイバーの前記ポリアミドがナイロン６６又はナイロン６／６６を含む、請求項１に記載のナノファイバー不織布製品。
【請求項５】
前記ナノファイバーの前記ポリアミドが高温ナイロンである、請求項１に記載のナノファイバー不織布製品。
【請求項６】
前記製品が６００ＣＦＭ／ｆｔ２未満の通気度の値を有する、請求項１に記載のナノファイバー不織布製品。
【請求項７】
前記製品が１５０ＧＳＭ以下の目付を有する、請求項１に記載のナノファイバー不織布製品。
【請求項８】
前記製品は少なくとも２０ｐｐｍのＴＤＩ及び少なくとも１ｐｐｍのＯＤＩを有する、請求項１に記載のナノファイバー不織布製品。
【請求項９】
前記製品が溶媒を含まない、請求項１に記載のナノファイバー不織布製品。
【請求項１０】
前記製品が５０００ｐｐｍ未満の溶媒を含む、請求項１に記載のナノファイバー不織布製品。
【請求項１１】
１００〜９５０ナノメートルの平均径を有するナノファイバーに紡糸され、不織布製品に成形されているポリアミドを含むナノファイバー不織布製品であって、前記ナノファイバーの前記ポリアミドが、Ｎ６、Ｎ６６、Ｎ６Ｔ／６６、Ｎ６１２、Ｎ６／６６、Ｎ６Ｉ／６６、Ｎ６６／６Ｉ／６Ｔ、Ｎ１１、Ｎ１２、又はこれらの組み合わせの少なくとも一つを含み、ここで「Ｎ」はナイロンを意味する、前記ポリアミドは４〜３３０の相対粘度を有する上記ナノファイバー不織布製品。
【請求項１２】
ナノファイバー不織布製品の製造方法であって、
（ａ）ポリアミド組成物を用意すること、ここでポリアミドは４〜３３０の相対粘度を有し、前記ナノファイバーの前記ポリアミドが、Ｎ６、Ｎ６６、Ｎ６Ｔ／６６、Ｎ６１２、Ｎ６／６６、Ｎ６Ｉ／６６、Ｎ６６／６Ｉ／６Ｔ、Ｎ１１、Ｎ１２、又はこれらの組み合わせの少なくとも一つを含み、ここで「Ｎ」はナイロンを意味する；
（ｂ）ポリアミド組成物を、１００〜１０００ナノメートルの平均繊維径及び４〜３３０の相対粘度を有する複数のナノファイバーに紡糸すること；及び
（ｃ）ナノファイバーをナノファイバー不織布製品に成形すること、ここでポリアミドナノファイバー層は、１００〜９５０ナノメートルの平均ナノファイバー径を有する；
を含む上記方法。
【請求項１３】
前記ポリアミド組成物の水分含量が１０ｐｐｍ〜５重量％である、請求項１２に記載のナノファイバー不織布製品の製造方法。
【請求項１４】
前記ナノファイバー不織布製品の前記ポリアミドの相対粘度が、紡糸して製品に成形する前の前記ポリアミド組成物と比較して同等か又はそれより大きい、請求項１３に記載のナノファイバー不織布製品の製造方法。
【請求項１５】
前記ポリアミド組成物を、ダイを通して高速気体流中にメルトブローすることによって溶融紡糸する、請求項１２に記載のナノファイバー不織布製品の製造方法。
【請求項１６】
加圧ガスを用いて繊維形成チャネルを通して液体形態の前記ポリアミド組成物を押し出すことを含む２相噴射剤ガス紡糸によって前記ポリアミド組成物を溶融紡糸する、請求項１２に記載のナノファイバー不織布製品の製造方法。
【請求項１７】
前記ナノファイバー不織布製品を、移動ベルト上に前記ナノファイバーを回収することによって形成する、請求項１２に記載のナノファイバー不織布製品の製造方法。
【請求項１８】
前記ポリアミドナノファイバー層は、１５０ＧＳＭ以下の目付を有する、請求項１２に記載のナノファイバー不織布製品の製造方法。
【請求項１９】
前記ナノファイバー不織布製品の前記ポリアミドの相対粘度が、紡糸して製品に成形する前の前記ポリアミド組成物と比較して減少している、請求項１２に記載のナノファイバー不織布製品の製造方法。
【請求項２０】
ナノファイバーに溶融紡糸され、不織布製品に成形されているナイロン６６ポリアミドを含むナノファイバー不織布製品であって、前記ナノファイバーの前記ポリアミドは４〜３３０の相対粘度、少なくとも２０ｐｐｍのＴＤＩ及び少なくとも１ｐｐｍのＯＤＩを有する上記ナノファイバー不織布製品。
【請求項２１】
ナノファイバーに溶融紡糸され、不織布製品に成形されているナイロン６６ポリアミドを含むナノファイバー不織布製品であって、前記ナノファイバーの前記ポリアミドは４〜３３０の相対粘度を有し、前記ナノファイバーの２０％以下が７００ナノメートルより大きい直径を有する上記ナノファイバー不織布製品。
【手続補正２】
【補正対象書類名】明細書
【補正対象項目名】０１５５
【補正方法】変更
【補正の内容】
【０１５５】
[0192]本発明を詳細に説明したが、本発明の精神及び範囲内の修正は当業者には容易に明らかであろう。かかる修正もまた、本発明の一部としてみなされるべきである。上記の議論、当技術分野における関連知識、及び背景に関連して上記で議論した参照文献（これらの開示事項はすべて参照により本明細書に組み込まれる）を考慮すると、更なる説明は不要であると考えられる。更に、発明の複数の形態及び種々の態様の複数の部分を全体的に又は部分的に組み合わせることができ、又は交換することができることが、上記の議論から理解されるべきである。更に、当業者であれば、前述の説明は単に例示の目的であり、本発明を限定することを意図しないことを認識するであろう。最後に、本明細書において参照される全ての特許、刊行物、及び出願は、それらの全体が参照により組み込まれる。
本発明は以下の実施態様を含む。
（１）ポリアミドナノファイバーを含むナノファイバー不織布製品であって、前記製品は２〜３３０の相対粘度を有し、前記ナノファイバーは１００〜１０００ナノメートルの平均径を有する上記ナノファイバー不織布製品。
（２）前記ポリアミドがナイロン６６又はナイロン６／６６である、（１）に記載のナノファイバー不織布製品。
（３）前記ポリアミドが高温ナイロンである、（１）に記載のナノファイバー不織布製品。
（４）前記ポリアミドが、Ｎ６、Ｎ６６、Ｎ６Ｔ／６６、Ｎ６１２、Ｎ６／６６、Ｎ６Ｉ／６６、Ｎ６６／６Ｉ／６Ｔ、Ｎ１１、及び／又はＮ１２を含み、ここで「Ｎ」はナイロンを意味する、（１）に記載のナノファイバー不織布製品。
（５）前記ナノファイバー不織布製品が６００ＣＦＭ／ｆｔ２未満の通気度の値を有する、（１）〜（４）のいずれかに記載のナノファイバー不織布製品。
（６）前記不織布製品が１５０ＧＳＭ以下の目付を有する、（１）〜（５）のいずれかに記載のナノファイバー不織布製品。
（７）前記製品が２０〜４０００ｐｐｍのＴＤＩを有する、（１）〜（６）のいずれかに記載のナノファイバー不織布製品。
（８）前記ナノファイバーの１％〜２０％が７００ナノメートルより大きな直径を有する、（１）〜（７）のいずれかに記載のナノファイバー不織布製品。
（９）前記製品が５０００ｐｐｍ未満の溶媒を含む、（１）〜（８）のいずれかに記載のナノファイバー不織布製品。
（１０）前記製品が溶媒を含まない、（１）〜（９）のいずれかに記載のナノファイバー不織布製品。
（１１）ナノファイバーに溶融紡糸され、不織布製品に成形されているナイロン６６ポリアミドを含むナノファイバー不織布製品であって、前記製品は少なくとも２０ｐｐｍのＴＤＩ及び少なくとも１ｐｐｍのＯＤＩを有する、上記ナノファイバー不織布製品。
（１２）ナノファイバーに溶融紡糸され、不織布製品に成形されているナイロン６６ポリアミドを含むナノファイバー不織布製品であって、前記ナノファイバーの２０％以下が７００ナノメートルより大きい直径を有する、上記ナノファイバー不織布製品。
（１３）（１）〜（１２）のいずれかに記載のナノファイバー不織布製品の製造方法であって、
（ａ）ポリアミド組成物を用意すること；
（ｂ）前記ポリアミド組成物を、１００〜１０００ナノメートルの平均繊維径を有する複数のナノファイバーに溶融紡糸すること；
（ｃ）前記ナノファイバーを前記ナノファイバー不織布製品に成形すること、ここで前記ナノファイバー不織布製品は１０００ナノメートル未満の平均ナノファイバー径を有する；
を含む上記方法。
（１４）前記ポリアミドポリマー組成物を、ダイを通して高速気体流中にメルトブローすることによって溶融紡糸する、（１３）に記載のナノファイバー不織布製品の製造方法。
（１５）加圧ガスを用いて繊維形成チャネルを通して液体形態の前記ポリアミド組成物を押し出すことを含む２相噴射剤ガス紡糸によって前記ポリアミド組成物を溶融紡糸する、（１３）〜（１４）のいずれかに記載のナノファイバー不織布製品の製造方法。
（１６）前記ナノファイバー不織布製品を、移動ベルト上に前記ナノファイバーを回収することによって形成する、（１３）〜（１５）のいずれかに記載のナノファイバー不織布製品の製造方法。
（１７）前記ナノファイバー不織布製品のＲＶが前記ポリアミド組成物のＲＶ未満である、（１３）〜（１６）のいずれかに記載のナノファイバー不織布製品の製造方法。
（１８）前記ナノファイバー不織布製品のＲＶが前記ポリアミド組成物のＲＶと同等か又はそれより大きい、（１３）〜（１６）のいずれかに記載のナノファイバー不織布製品の製造方法。
（１９）前記ナノファイバー不織布製品を、フィルター媒体、通気性布帛、衣類、履物、防音層、医療用包帯、及び／又は医療用インプラントにおいて使用する、（１）〜（１２）のいずれかに記載のナノファイバー不織布製品の使用。